(57)【要約】【課題】  操作が容易な指紋照合装置を提供することを目的とする。また、指紋データが予め保存されていない場合は、ＩＤカード７に記録された指紋データを読み取らせて保存させ、以後の指紋の照合操作が容易な指紋照合装置を得る。【解決手段】  指紋撮像手段２で撮像して得られた検査指紋データを、保存指紋データファイルの保存指紋データと照合することにより被認証者を認証すると共に、保存指紋データとの照合によって被認証者を認証できなかったときは、被認証者のＩＤカード７から登録指紋データを読み取って検査指紋データと照合すると同時に、被認証者が認証されると、ＩＤカード７の登録指紋データを保存指紋データファイル４に記録するようにしたものである。【選択図】        図１
2005227955.tif 000002
【特許請求の範囲】
【請求項１】
被認証者の指紋を指紋撮像手段で撮像して得られた検査指紋データを、保存指紋データファイルの保存指紋データと照合することにより上記被認証者を認証する指紋照合装置において、上記保存指紋データとの照合によって上記被認証者を認証できなかったときは、上記被認証者の指紋データが登録されているＩＤカードから登録指紋データをカード読取手段によって読み取って上記検査指紋データと照合することにより上記被認証者を認証すると共に、上記被認証者が上記登録指紋データによって認証されると、指紋データ保存手段によって上記ＩＤカードの上記登録指紋データを上記保存指紋データファイルに記録するようにした指紋照合装置。
【請求項２】
請求項１に記載の指紋照合装置において、指紋データ保存手段は、ＩＤカードの登録指紋データに替えて、指紋撮像手段で撮像された被認証者の検査指紋データを保存指紋データファイルに記録するものとした指紋照合装置。
【請求項３】
保存指紋データファイルは、指紋撮像手段で撮像された各被認証者の検査指紋データとの一致度の平均値が高い保存指紋データから順に最先読出し番地から後続記録されているものとし、指紋データ保存手段は、被認証者の検査指紋データとＩＤカードの登録指紋データとの一致度によって決まる順序に基づいて上記ＩＤカードの上記登録指紋データを上記保存指紋データファイルに記録するものとした請求項１に記載の指紋照合装置。
【請求項４】
保存指紋データファイルは、保存指紋データが認証照合に供された時刻順に、最新のものを最先読出し番地にして後続記録されているものとし、指紋データ保存手段は、新たに記録する指紋データを、上記保存指紋データファイルの上記最先読出し番地に記録し、既に記録されている上記保存指紋データを、新たに記録された上記指紋データに続けてそれまで最先読出し番地に記録されていたものから順に後続記録するものとした請求項１又は請求項２に記載の指紋照合装置。
【発明の詳細な説明】
【技術分野】
【０００１】
この発明は、入室管理やコンピュータの使用管理等に供せられる指紋照合装置の操作に係るものである。
【背景技術】
【０００２】
建物内の部屋へは関係者以外の入室を禁止するため、扉に電気錠を取り付け、指紋照合装置によって関係者であることが認証されると電気錠を開錠して入室を認めるようにしている。
従来の指紋照合装置は、被認証者の指紋を指紋撮像手段で撮像し、得られた検査指紋データを予め登録された指紋データと照合し、両者の一致度から判別するようにしていた。このような指紋照合装置では、指紋データを予め登録しておく必要がある。このため、関係者が変動すると、その変動に追従して指紋データを更新する必要があり、面倒であった。また、複数の扉が設けられていて、各扉毎に指紋照合装置が設置される場合は、各指紋照合装置毎に指紋データを更新する必要があり、更に面倒であった。
そこで、指紋照合装置の指紋データを更新する不便を解消するために、カードに指紋データを記録しておき、この指紋データをその都度読み取って指紋撮像手段で撮像された検査指紋データと照合するようにしていた（例えば、特許文献１参照）。
【０００３】
図８は、上記特許文献１によって開示された指紋照合装置と同様の従来の指紋照合装置である。即ち、指紋撮像手段２によって被認証者の指３の指紋が撮像されて照合部４０へ入力される。一方、被認証者の指紋が予め登録されたＩＣカード７から指紋をカード読取手段８によって読み取って照合部４０へ入力される。照合部４０では、検査指紋データ抽出手段４１によって撮像された指紋から照合に供するための検査指紋データが抽出される。また、ＩＣカード７から読み取られた指紋は、登録指紋データ抽出手段４２によって照合に供するための登録指紋データが抽出される。抽出された検査指紋データと登録指紋データは、指紋データ一致度演算手段４３によって両指紋データの特徴点の一致度が演算される。この一致度が一致度判定手段４４によって判定閾値と比較されて、判定閾値以上の場合は、関係者と認証されて判定結果表示手段５に、その旨が表示され、外部装置６である電気錠が開錠され、又はパソコンの使用が可能となる。逆に、一致度が判定閾値未満の場合は、関係者とは認証されず、判定結果表示手段５に、その旨が表示され、外部装置６である電気錠は施錠されたままとなり、パソコンも使用することができない。
【０００４】
【特許文献１】特開平１１−３９４８９号公報（段落番号１４、図１）
【発明の開示】
【発明が解決しようとする課題】
【０００５】
従来の指紋照合装置は、上記のとおり構成されており、認証対象者の変動に合わせて予め指紋データを登録しなければならない、という面倒は解消できたものの、指紋を指紋撮像手段２によって撮像すると同時に、ＩＣカード７をカード読取手段８に読み取らせなければならず、操作が面倒である、という問題があった。
【０００６】
この発明は、上記問題点を解決するためになされたものであり、指紋の撮像のみで関係者であるか否か認証をすることができる、操作が容易な指紋照合装置を提供することを目的とする。
また、新規に関係者になった場合は、ＩＤカードに記録された指紋データを読み取らせて保存させ、以後の指紋の照合は、新たに保存された指紋と照合させることにより、指紋の撮像のみで関係者であるか否か認証することができる、操作が容易な指紋照合装置を提供することを目的とする。
【課題を解決するための手段】
【０００７】
この発明に係る請求項１に記載の指紋照合装置は、被認証者の指紋を指紋撮像手段で撮像して得られた検査指紋データを、保存指紋データファイルに予め保存されている保存指紋データと照合することにより被認証者を認証すると共に、保存指紋データとの照合によって被認証者を認証できなかったときは、被認証者の指紋データが登録されているＩＤカードから登録指紋データを読み取って検査指紋データと照合することにより被認証者を認証すると同時に、被認証者が登録指紋データによって認証されると、指紋データ保存手段によってＩＤカードの登録指紋データを保存指紋データファイルに記録し、以後の照合に使用するようにしたものである。
【０００８】
また、請求項２に記載の指紋照合装置は、被認証者が登録指紋データによって認証されると、請求項１のＩＤカードの登録指紋データに替えて、指紋撮像手段で撮像された被認証者の検査指紋データを保存指紋データファイルに記録し、以後の照合に使用するようにしたものである。
【０００９】
更に、請求項３に記載の指紋照合装置は、請求項１の保存指紋データファイルのデータの構成に係り、指紋撮像手段で撮像された各被認証者の検査指紋データとの一致度の平均値が高い保存指紋データから順に最先読出し番地から後続記録されているものとし、指紋データ保存手段によってＩＤカードの登録指紋データを新規に記録する場合は、被認証者の検査指紋データとＩＤカードの登録指紋データとの一致度によって決まる順序に基づいて記録するようにしたものである。
【００１０】
更にまた、請求項４に記載の指紋照合装置は、請求項１又は請求項２の保存指紋データファイルのデータの構成に係り、保存指紋データが照合操作に供された時刻順に、最新のものを最先読出し番地にして後続記録されているものとし、指紋データを新たに記録する場合は、保存指紋データファイルの最先読出し番地に記録し、既に記録されている保存指紋データを、新たに記録された指紋データに続けてそれまで最先読出し番地に記録されていたものから順に後続記録するようにしたものである。
【発明の効果】
【００１１】
この発明は上記のとおり構成されているので、以下の効果を奏する。
この発明に係る請求項１に記載の指紋照合装置によれば、被認証者の指紋を予め保存指紋データファイルに保存しておき、撮像された検査指紋データと照合するようにしたので、操作が容易である、という効果を奏する。
また、被認証者の指紋が保存指紋データファイルに保存されていない新規な関係者の場合は、ＩＤカードから被認証者の登録指紋データを読み取って照合するようにしたので、新規な関係者であっても認証することができ、関係者の変動に対して柔軟に対応することができる、という効果を奏する。
更に、新規な関係者が認証されると、ＩＤカードの登録指紋データを保存指紋データファイルに記録するようにしたので、保存指紋データファイルの維持管理が容易であると共に、以後は指紋の撮像によって認証することができ、操作が容易である、という効果を奏する。
【００１２】
また、この発明に係る請求項２に記載の指紋照合装置によれば、被認証者がＩＤカードに記録された登録指紋データによって認証されると、請求項１のＩＤカードの登録指紋データに替えて、指紋撮像手段で撮像された被認証者の検査指紋データを保存指紋データファイルに記録するようにしたので、操作が容易なことに加えて、以後高い一致度で照合することができる、という効果を併せて奏する。
【００１３】
更に、この発明に係る請求項３に記載の指紋照合装置によれば、撮像された検査指紋データとの一致度の平均値が高い保存指紋データから順に保存指紋データファイルの最先読出し番地から後続記録するようにしたので、一致度の高い保存指紋データを優先させることができると共に、一致度の低い保存指紋データを知得することができるので、認証不能に至る前に保存指紋データを更新することにより一致度を高めることができる、という効果も併せて奏する。
【００１４】
更にまた、この発明に係る請求項４に記載の指紋照合装置によれば、保存指紋データが照合操作に供された時刻順に、最新のものを保存指紋データファイルの最先読出し番地にして後続記録されるようにしたので、最近操作した関係者を優先して照合することができる、という効果を奏する。
【発明を実施するための最良の形態】
【００１５】
以下、図面を参照して、この発明の実施の形態について説明する。なお、各図中、同一又は相当する部分には同一符号を付し、説明の重複を省いた。
実施の形態１．
図１から図４は、この発明の実施の形態１を示す。
図１は、指紋照合装置の全体構成を示すブロック図である。即ち、指紋撮像手段２によって被認証者の指３の指紋が撮像されて照合部１０へ入力される。照合部１０では、検査指紋データ抽出手段１１によって撮像された指紋から照合に供するための検査指紋データが抽出される。保存指紋データファイル４には、関係者の指紋データが予め保存されており、順番に読み出されて照合に供するための保存指紋データが抽出される。抽出された検査指紋データと保存指紋データは、指紋データ一致度演算手段１３によって両指紋データの特徴点の一致度が演算される。この一致度が一致度判定手段１４によって判定閾値と比較されて、一致度が判定閾値以上の場合は、関係者と認証されて判定結果表示手段５に、その旨が表示されると共に、外部装置６である電気錠が開錠され、又はパソコンの使用が可能となる。
【００１６】
一方、保存指紋データとの照合では被認証者を関係者として認証できなかったときは、被認証者の指紋データが登録されているＩＤカード７から上記指紋データをカード読取手段８で読み取って、登録指紋データ抽出手段１２によって照合に供するための登録指紋データが抽出される。抽出された登録指紋データは、指紋データ一致度演算手段１３によって検査指紋データとの特徴点の一致度が演算される。この一致度が一致度判定手段１４によって判定閾値と比較されて、判定閾値以上の場合は、関係者と認証されて判定結果表示手段５に、その旨が表示されると共に、外部装置６である電気錠が開錠され、又はパソコンの使用が可能となる。
【００１７】
登録指紋データと検査指紋データの一致度が判定閾値未満の場合は、一致度判定手段１４によって関係者とは認証されない。このため、判定結果表示手段５に、その旨が表示され、外部装置６である電気錠は施錠されたままとなり、パソコンも使用することができない。
即ち、保存指紋データとの照合では関係者と認証されなかった場合でも、ＩＣカード７から読み取った登録指紋データとの照合で認証された場合は関係者とされる。保存指紋データによっても、また、登録指紋データによっても関係者と認証されなかったときに、初めて関係者以外となる。
なお、登録指紋データとの照合で関係者と認証された場合は、上記登録指紋データは、登録指紋データ保存手段９によって保存指紋データファイル４に登録される。
【００１８】
図２は指紋照合装置の電気回路を示すブロック図である。バスラインを介してＣＰＵ２１、ＲＯＭ２２、ＲＡＭ２３、保存指紋データファイル４、入力装置２４及び出力装置２５が接続されている。ＲＯＭ２２には図４に示すプログラムが格納されている。ＲＡＭ２３には、一時的なデータが格納される。入力装置２４には、指紋撮像手段２とカード読取手段８が接続されている。出力装置２５には、判定結果表示手段５と扉２６を施錠する電気錠２７が接続されている。
【００１９】
図３は、保存指紋データファイル４の指紋データのデータ構造を示す説明用図である。各指紋データは、指紋の特徴点からなる指紋データに加えて、関係者のＩＤ番号と、保存指紋データファイル４から読み出されて関係者である旨の認証照合がなされた場合の操作時刻、認証照合がなされた操作回数、認証照合がなされたときの検査指紋データと保存指紋データとの特徴点の平均一致度で構成されている。
図３は被認証者が関係者である旨の認証照合に保存指紋データが供された時刻順に、最新のものを最先読出し番地、即ち、第１順番にして後続記録されたものである。
従って、ＩＣカード７から読み取られた登録指紋データが書き込まれる時点では、保存指紋データファイル４の最先読出し番地、即ち、第１順番に記録され、それ迄第１順番に記録されていた保存指紋データは第２順番に順番を下げて、以下順に後続記録されることになる。
【００２０】
図４は、指紋照合装置の動作を示す流れ図である。
手順Ｓ１１とＳ１２は待機状態を示し、指紋撮像手段２が指紋を撮像していないときは、手順Ｓ１２で指３の載置を促す表示を、判定結果表示手段５に行う。指紋が撮像されると、手順Ｓ１３で指紋画像をディジタル化し、離散的な位置データと濃度データに変換して量子化する。更に、量子化された指紋画像から指紋特徴データを生成する。手順Ｓ１４で、照合に供するために検査指紋データとして特定部分を抽出する。手順Ｓ１５で、変数ｉを「１」にセットする。手順Ｓ１６で、保存指紋データファイル４から順番＝ｉのデータを読み取り、保存指紋データを抽出する。手順Ｓ１７で、検査指紋データと保存指紋データの一致度を演算する。手順Ｓ１８で、一致度が所定の判定閾値以上の場合は、同一と判定して、被認証者を関係人と認証する。手順Ｓ１９で、保存指紋データファイル４における同一と判定されたＩＤ番号の操作時刻を現時刻とし、操作回数を「１」増加させ、平均一致度を下記式で演算した平均一致度によってそれぞれ更新する。
（平均一致度）＝｛（更新前の平均一致度）×（更新前の操作回数）＋（今回の一致度）｝／｛（更新前の操作回数）＋１｝
更に図３に示したとおり、操作時刻順に配置替えをする。
手順Ｓ２０で判定結果表示手段５に、その旨を示すＯＫ表示がなされ、手順Ｓ２１で外部装置、例えば電気錠２７へ制御信号を送信して開錠する。被認証者は入室することができる。
【００２１】
手順Ｓ１８で、一致度が所定の判定閾値未満の場合は、手順Ｓ２２とＳ２３を介して一致度の演算が再度なされて同一・不同の判定がなされる。途中で同一と判定されると手順Ｓ１９へ移る。最終的に保存指紋データファイル４に検査指紋データと同一と認められる保存指紋データが存在しない、と判定された場合は、手順Ｓ２４及びＳ２５を介して手順Ｓ２６でＩＣカード７をカード読取手段８に読み取らせるように、判定結果表示手段５に表示させる。カード読取手段８がＩＣカード７を読み取ると、手順Ｓ２４から手順Ｓ２７へ移り、登録指紋データを抽出し、手順Ｓ２８で検査指紋データと登録指紋データの一致度が演算される。
【００２２】
手順Ｓ２９で上記一致度が所定の判定閾値以上の場合は、同一と判定されて手順Ｓ３０へ移り、ＩＣカード７から読み取られた登録指紋データを保存指紋データファイル４へ格納する。このとき、図３に示したＩＤ番号、操作時刻（＝現時刻）、操作回数（＝１）、平均一致度（＝手順Ｓ２８による一致度）も同時に記録され、操作時刻順に配置替えされる。但し、ＩＣカード７から読み取ったＩＤ番号と同一のＩＤ番号が保存指紋データファイル４に記録されている場合は上書され、図３に示したとおり、操作時刻順に配置替えされる。以下、手順Ｓ２０及びＳ２１の処理がなされる。
手順Ｓ２５で、所定時間内にカード読取手段８がＩＣカード７を読み取らなかった場合、又は、手順Ｓ２９で不同判定がなされた場合は、手順Ｓ３１へ移り、判定結果表示手段５に、その旨を示すＮＧ表示がなされる。従って、外部装置、例えば電気錠２７は開錠されず、被認証者は入室できない。
【００２３】
上記実施の形態１によれば、被認証者の指紋を予め保存指紋データファイル４に保存しておき、照合を求めた被認証者の指３の撮像指紋から抽出された検査指紋データと照合するようにしたので、単に指３を指紋撮像手段２に載置することによって照合することができ、操作が容易である。
また、被認証者が、例えば新規な関係者であって、指紋データがまだ保存指紋データファイル４に保存されていない場合であっても、被認証者が所持するＩＤカード７から登録指紋データを読み取って照合するようにしたので、新規な関係者であっても認証することができ、関係者の変動に対して柔軟に対応することができる。
【００２４】
更に、被認証者が所持するＩＤカード７から登録指紋データを読み取って撮像指紋から抽出された検査指紋データと照合するようにしたので、保存指紋データファイル４に指紋データが全く保存されていない状態であっても指紋照合装置を稼動に供することができる。このため、指紋照合装置を旧設品から新設品に容易に取り替えることができる。
更にまた、被認証者が所持するＩＤカード７から登録指紋データを読み取って撮像指紋から抽出された検査指紋データと照合するようにしたので、同一のＩＤ番号の保存指紋データが保存指紋データファイル４に保存されていても、関係者の指紋が変わってしまったために認証できなかった場合であっても、ＩＤカード７の検査指紋データと照合して認証することができる。しかも同一と判定された場合は、保存指紋データが検査指紋データによって書き替えられるので、その後の照合操作は、指紋撮像手段２による操作となり、容易である。
【００２５】
更にまた、新規な関係者が認証されると、ＩＤカード７の登録指紋データを保存指紋データファイル４に記録するようにしたので、保存指紋データファイル４の維持管理が容易であると共に、記録後はＩＤカード７に依ることなく指紋の撮像によって認証することができ、操作が容易である。
更にまた、保存指紋データが照合操作に供された時刻順に、最新のものを保存指紋データファイル４の最先読出し番地に記録して、以下順に後続記録される。一方、保存指紋データファイル４の容量には限りがあるので、操作に供されなくなった保存指紋データは順次末尾に移され、やがて抹消されることになる。このため、日常指紋照合装置を操作している関係者が優先されることになり、保存指紋データファイル４が、稼動を通じて実情に適した状態に維持管理される。
【００２６】
実施の形態２．
図５は、この発明の実施の形態２を示す。この実施の形態２は、保存指紋データファイル４のデータの構成に係り、指紋撮像手段２で撮像された各被認証者の検査指紋データとの一致度の平均値が高い保存指紋データから順に最先読出し番地から後続記録されるようにしたものである。そのための図４に対する変更部分として手順Ｓ３０に相当する部分について図５に示す。なお、手順Ｓ１９における配置替えに相当する処理は、単に平均一致度順に変更するに過ぎないものであり、説明を省略する。
図５において、保存指紋データファイル４は、予め平均一致度が高い保存指紋データから順に最先読出し番地から後続記録されているものとする。
【００２７】
手順Ｓ２９１で、ＩＤカード７からＩＤ番号を読み取る。手順Ｓ２９２で、ＩＤカード７のＩＤ番号と同一のＩＤ番号が保存指紋データファイル４にない場合は、手順Ｓ２９３へ移り、手順Ｓ２９４からＳ２９７により、手順Ｓ２８で演算された一致度を、保存指紋データファイル４の高い平均一致度から順に比較する。保存指紋データファイル４のｉ番目で一致度が平均一致度以上になったとすると、手順Ｓ２９８で、ｉ番目以降のデータを（ｉ＋１）番目以降に移す。手順Ｓ２９９で、ＩＤカード７に記載のデータを保存指紋データファイル４のｉ番目に記載して処理を終わる。即ち、ＩＤ番号、操作時刻（＝現時刻）、操作回数（＝１）、平均一致度（＝一致度）、指紋データ（＝登録指紋データ）。
保存指紋データファイル４の最後の順番（＝Ｎ）に記録された平均一致度よりも一致度が低い場合は、手順Ｓ２９６を介して処理を終了する。この場合、ＩＤカード７に記載のデータは保存指紋データファイル４に記載されない。
【００２８】
手順Ｓ２９２で、ＩＤカード７のＩＤ番号と同一のＩＤ番号が保存指紋データファイル４にある場合は、手順Ｓ３００へ移り、保存指紋データファイル４から該当するＩＤ番号の一連のデータを読み取る。手順Ｓ３０１で、平均一致度の値を更新するための演算を行う。操作時刻を現時刻とし、操作回数に「１」を加算し、指紋データをＩＤカードの登録指紋データで置き替える。手順Ｓ３０２で、保存指紋データファイル４のデータを、更新後の平均一致度に基づいて値が高いものから順に最先読出し番地から後続記録して処理を終了する。
【００２９】
上記実施の形態２によれば、撮像された検査指紋データとの一致度の平均値が高い保存指紋データから順に保存指紋データファイル４の最先読出し番地から後続記録するようにしたので、一致度の高い保存指紋データを優先させることができると共に、一致度の低い保存指紋データを知得することができるので、認証不能に至る前に保存指紋データを更新することにより一致度を高める処置をとることができる。
【００３０】
実施の形態３．
この実施の形態３では、具体的な実施例について述べる。
実施例１．
上記実施の形態１では、被認証者がＩＤカード７の登録指紋データによって認証されると、図４の手順Ｓ３０で、その登録指紋データを保存指紋データファイル４に記録するようにしたが、この実施例１では、指紋データはＩＤカード７の登録指紋データに替えて、指紋撮像手段８で撮像された検査指紋データを保存指紋データファイル４に記録するようにしたものである。
このため、実施例１によれば、操作が容易なことに加えて、以後は高い一致度で照合することができる。
【００３１】
実施例２．
図６は、実施例２を示し、扉２６の電気錠２７を外部装置６とした縦形の指紋照合装置を示す。指紋照合装置の本体３０には、指紋撮像手段２と、判定結果表示手段５と、磁気カード３３を挿通するスロット３１と、スロット３１の中間部にカード読取手段３２が設けられている。
図６（ａ）は、被認証者の指２の指紋を撮像して照合する場合を示す。判定結果表示手段５には指２を載置するように案内表示がされている。被認証者は案内表示に従って、指２を載置し、関係者として認証されると判定結果表示手段５に「ＯＫ」表示がされ、電気錠２７が開錠される。
図６（ｂ）は、同（ａ）の操作では関係者として認証されなかった場合に、判定結果表示手段５にカード操作をするように案内表示がされる。この表示に従って磁気カード３３をスロット３１に通して、カード読取手段３２に読み取らせる。この結果、関係者として認証されると、判定結果表示手段５に「ＯＫ」表示がされ、電気錠２７が開錠される。認証されなかった場合は、「ＮＧ」表示がされ、電気錠２７は施錠されたままとなる。
【００３２】
実施例３．
図７は、実施例３を示し、パソコンを外部装置６とした横形の指紋照合装置を示す。指紋照合装置の本体１には、指紋撮像手段２と、判定結果表示手段５と、ＩＣカード７を読み取るカード読取手段８が設けられている。
図７（ａ）は、被認証者の指２の指紋を撮像して照合する場合を示す。判定結果表示手段５には指２を載置するように案内表示がされている。被認証者は案内表示に従って、指２を載置し、関係者として認証されると判定結果表示手段５に「ＯＫ」表示がされ、パソコン２９の使用が可能となる。
図７（ｂ）は、同（ａ）の操作では関係者として認証されなかった場合に、判定結果表示手段５にカード操作をするように案内表示がされる。この表示に従ってＩＣカード７を近づけてカード読取手段８に読み取らせる。この結果、関係者として認証された場合は、判定結果表示手段５に「ＯＫ」表示がされ、認証されなかった場合は、「ＮＧ」表示がされ、パソコン２９を使用することはできない。
【図面の簡単な説明】
【００３３】
【図１】この発明の実施の形態１における指紋照合装置の全体構成を示すブロック図。
【図２】この発明の実施の形態１における指紋照合装置の電気回路を示すブロック図。
【図３】この発明の実施の形態１における保存指紋データファイル４のデータ構造を示す説明用図。
【図４】この発明の実施の形態１における指紋照合装置の動作を示す流れ図。
【図５】この発明の実施の形態２における指紋照合装置の動作を示す流れ図。
【図６】この発明の実施例２における指紋照合装置の使用例を示す概念図。
【図７】この発明の実施例２における指紋照合装置の使用例を示す概念図。
【図８】従来の指紋照合装置の全体構成を示すブロック図。
【符号の説明】
【００３４】
１  本体、  ２  指紋撮像手段、  ３  指、  ４  保存指紋データファイル、  ５  判定結果表示手段、  ６  外部装置、  ７  ＩＣカード、  ８  カード読取手段、  １１  検査指紋データ抽出手段、  １２  登録指紋データ抽出手段、  １３  指紋データ一致度演算手段、  １４  一致度判定手段、  １５  保存指紋データ抽出手段、  ２６  扉、  ２７  電気錠、  ３０  本体、  ３１  スロット、  ３２  カード読取手段、  ３３  ＩＣカード。
【図１】
2005227955.tif 000003
【図２】
2005227955.tif 000004
【図３】
2005227955.tif 000005
【図４】
2005227955.tif 000006
【図５】
2005227955.tif 000007
【図６】
2005227955.tif 000008
【図７】
2005227955.tif 000009
【図８】
2005227955.tif 000010